(57)【要約】【発明の課題（目的）】  足の裏にある大小の凹凸やその深浅、形状、特に土踏まず形状の個人差に関係なく、だれにも適合して、歩くだけで  足裏の重要なツボである土踏まずやその他の刺激帯に摩擦刺激を加えることができる中敷を世に提供して、世人が健康な身体を保持する一助になればよいと考えるものである。【課題を解決する手段】  中敷本体の内側で  土踏まずに対応する部位と、外側の相対する部位（小趾と踵の中間部）に、所定の形状と大きさを有する張出部を設けた靴用の中敷を入れた靴を履いて歩く。【選択図】  図１
2005074195.tif 000002
【特許請求の範囲】
【請求項１】
柔軟性素材（皮革、布、不織布、ゴム、塩化ビニル、ポリオレフィン系の合成樹脂および合成樹脂エラストマ−、および  それらの複合素材）で構成される靴用の中敷（１）において、中敷の内側（拇趾側  以下同じ）の土踏まずの部位と  その外側（小趾側  以下同じ）の土踏まずと相対する両側に  所定の形状と大きさを有する張出部（４）（５）を設けることを特徴とする靴用の中敷。
【請求項２】
請求項１に記載の中敷において  両張出部の間の足底のあたる部分から両側の張出部の付根部（２）（３）に向かって  その厚さを順次厚くした帯状の肉厚部（６）を設けることを特徴とする靴用の中敷。
【請求項３】
請求項１、請求項２に記載の靴用の中敷において、中敷の裏面と靴の踵の底部との間に挟まれるように、靴の踵の腰革に沿って半円を描いて  適宜な幅と高さを有する支持壁（９）を設け、中敷の踵部の中央部をハンモック状に宙吊りにして、踵の下に空洞部（１０）を設けたことを特徴とする靴用の中敷。
【発明の詳細な説明】
【発明の詳細な説明】
【技術分野】
【０００１】  本発明は  靴用の中敷に関するもので、形状が千差万別で  個人差のある足裏の形状や凹凸の変化を吸収するような靴用の中敷を提供する。
【従来の技術とその課題】
【０００２】  この分野における従来からの技術は、靴底の平面と同じ形状の平板で構成されており、その素材に抗菌剤や防臭剤などを  練り込んだり、製品の表面に塗布したりして付加価値をつけたもの、あるいは  中敷の表面に足裏のツボを刺激するための突起類を設けたものが市販されている。
【発明の解決しようとする課題】
【０００３】  本発明は  主に土踏まず部分を刺激することで、足裏の血流を促進し、そこにある種々のツボや刺激帯を活性化させることを目的とするが、現在  同じ目的を持って市販されている中敷の  土踏まずを刺激するための突起は  やや半円形に近い丘状の突起を中敷と一体に作ったり、あるいは同形状の別添部品を嵌合や接（粘）着剤などを使って所定位置に固定するものが多く、その硬さ、高さや大きさ等  個々の足に合わせて調節できるものはみられない。
【０００４】  しかし  足の裏の形状は、各人千差万別で、例えば  土踏まずにしても深い人や浅い人、あるいは偏平足の人などもおり、その必要とする高さや大きさは一定ではなく、用意された突起が合わない場合も多い。
【０００５】  この場合  突起が低く、小さすぎれば、足に触らないから効果がないし、高く大きすぎれば  土踏まずへの当りが強く、違和感やひどい場合には痛みさえ感じてしまう。因みに  専門書によれば、土踏まず部分は皮膚接触程度の摩擦で、充分な効果が得られるとのことである。
【０００６】  また  歩行の際  靴が大きすぎて  足の位置がしっかり固定されず、靴の中で足が遊んでしまうような状態は  靴の左右の腰革の締付けがあまく、趾先に不要な力が入り、疲れやすく、足や膝、腰などの関節痛の直接的原因となる。
【０００７】  また  表面が硬いアスファルトで舗装されている現代の道を歩行する際  踵が受ける衝撃は直接脳に響くといわれるが、このことは  体の疲労感をより強く感じさせるもので、一日中歩き回る仕事に携わる人にとって  体に溜る疲労とストレスは大変な量であるといわれる。
この対策として  踵に柔軟なゴムやスポンジなどの素材を当てている。
【課題を解決する手段】
【０００８】  本発明による靴用の中敷は  以上のような欠点を排除し、足形の個人差を吸収して土踏まずを刺激し、血流を促進させながら、足の裏のツボや刺激帯の作用を活性化したり、靴内の足の位置を固定するもので、その手段は以下の通り。
中敷の内側（拇趾側）の土踏まず対応部位と  外側（小趾側）で土踏まずと相対する部位に、所定の大きさと形状を有する張出部（４，５）を設けた靴用の中敷（１）を、使用する靴に挿入して履く。
【発明の実施の形態とその効果】
【０００９】  本発明は以上のように構成されるが、その発想の概念を念頭におきながら  実施の態様を記す。
本発明の中敷のアイデアは  端的にいえば  靴という雌型に平な板を乗せ、上から足という雄型でプレス成形すれば  型として使用した靴と足にはピッタリ合う筈との発想に起因しており、本発明の中心である張出部は雄雌両形の隙間に生じたバリで、そのバリが足と靴の隙間を埋める効果を利用するものである。
【００１０】  中敷の両横に設けた張出部は、そのままでは履き口の両側の腰革に当たって靴の中に入らない。ここで中敷を縦方向にＶ字に折り曲げて靴に挿入し、その上から足を靴に入れれば、Ｖ字に折り曲げた中敷は足の重量（体重）に押されて靴内に押し込まれ、左右の張出部は靴の両側の腰革と足の両側面の間にあって、浅いＵ字形を形成し、足を両側面から包込み、軽く締付け、その分だけ  足が靴の中で安定し  固定される。
【００１１】  以上のように  中敷の張出部が腰皮と足の間で  浅いＵ字形に反った状態になり、足の重みに押し広げられ、押し下げられ、足と靴底に挟まれた状態になる。
千差万別といわれる足の底の凹凸は  ここでしっかり中敷に写しとられる。
【００１２】  上記の浅いＵ字形の反りに内包する坑張力や反発力は  土踏まずに与える刺激や靴の中の足の安定した位置の保持に関係し、請求項２に記載した  張出部の付根部（２，３）周辺を肉厚にすることで強化された帯状の肉厚部（６）は  靴の腰革と靴底にかかって傾斜面を形成する。この状態で足に押さえられた中敷はその傾斜面を保持しようと  上方向に反発力が作用する。中敷の当該部分は上から足に、下からは肉厚部の反発力で  土踏まずに密着することになる。
【００１３】  また  請求項３に記載のように、中敷の裏面で踵に相当する部分の縁に  適宜な高さ（３〜１０ミリ位）と幅（３〜５ミリ位）を有する支持壁（９）を、踵部の腰革の描くカ−ブに沿って設け、中敷の踵部分をハンモック状に宙吊りにすれば、踵の下に空洞部（１０）が形成され、歩行の際  踵が受ける衝撃を  この空洞部が吸収、緩和してくれるから、その疲労度は著しく少なくなる。
【００１４】  請求項１には柔軟な素材で構成される中敷とあるが、その厚さが２〜３ミリ位で、全く反ったり曲ったりできないような硬さでない限り使用可能で、例えば靴内に挿入するために、Ｖ字形に曲げられれば使用は可能である。この場合  張出部は  やや小さめに設定するとよい。
この他  ゴムや合成樹脂の微粉末を溶液に分散させたエマルジョンを含浸させた布や不織布を加熱硬化させたシ−トなどを  所定の形に打ち抜き加工して、使用しても、同様の効果を期待できる。
【００１５】  この中敷を靴内に入れるには  中央部から縦にＶ字形に曲げるようにして靴の中に入れ、その上から足を入れれば  中敷は足に押されて  Ｖ字を開くように靴内に広がり足の底に密着し、  両側の張出部の先端は靴の腰革と足の側面に挟まれて上にあがり、浅いＵ字形になって、足を包み込むようになる。
【００１６】  前述のように  本発明の中敷は  靴という雌型に平たい板を当てて、足という雄型でプレス加工するといった思考法からでており、型の隙間にでるバリが張出部に相当し、足と靴の隙間（型の隙間）を埋め、足を包んで適度に締め付け、靴内における足の遊びを抑制するように設計したものである。
従って  該中敷は  それを使用する足の凹凸にピタリと適合するのは  理の当然で、それを使用する人の靴と足の間に入って、足形の個人差を吸収し、張出部は土踏まずを軽く摩擦して  快適な履き心地が得られるようになる。
【００１７】  また  請求項２に記載のように、両側の張出部（４，５）の付根部（２・３）の間に、その中央部分の肉厚は薄く、両側の張出部の付根部に近付くにしたがって徐々に強度を増すような、帯状の肉厚部（６）を設けてやると、その肉厚部の厚さ分だけ強度が増し、００１１項に記載のような作用が発生し、肉厚部の坑張力の働きで  土踏まずに密着、歩行の際に軽い摩擦刺激が発生する。
【００１８】  また張出部や肉厚部が大きくなれば  それだけ肉厚部の反発が強くなり、土踏まずとの接触が密になる。その結果  中敷の張出部が  両側から足を締め付ける力が強くなり、足は靴の中でより安定する。なお  張出部の厚さは  その付根部から先端に向かって薄くなるようにする。
【００１９】  前述したような状況において歩行すれば、土踏まずに接している張出部は  一歩進む度ごとに土踏まずを摩擦して、当該部分の血流を促進し、その周辺にある各臓器のツボや刺激帯を活性化させ、その影響力を全身に及ぼす。
【００２０】  また  請求項３に記載したように、踵部分に  中敷と靴底の間に挟まるような下向きの支持壁（８）を設ければ、中敷の踵の部分の下に空洞（１０）ができ、歩行の際に踵が受ける衝撃を  その空洞が吸収するので、疲労度は軽減され、ストレスの蓄積は少なくなる。
【００２１】  また  構成素材に所定量の抗菌剤を混入したり、製品の表面に塗布すれば  水虫菌や汗の腐敗菌の増殖を防止する。特に銀系の抗菌剤には水虫の原因である真箘類に対して顕著な殺菌効果を示す。（工業調査会出版「抗菌剤の科学」より）
【００２２】  また  適当な脱臭剤を  素材に混入したり、製品の表面に塗布すれば、足の悪臭の元凶といわれるイソ吉草酸や洛酸などを中和し、消臭効果を発揮する。（東亜合成工業「ケスモン」のカタログより）
【００２３】  また  トルマリン、ジルコニュウム、ゼオライトなど各種の自然鉱石の微粉末や珪酸アルミなど  ある種のセラミック素材の粉を混入して、遠赤外線効果やマイナス・イオン効果を期待することも可能である。（ビジネス社「水  命と健康の科学」より）
【００２４】  発明者の実験では、真冬の朝  トルマリンの微粉末を５重量％混入したＥＶＡ（エチレンと酢酸ビニルの共重合体）で構成される中敷を  片足の靴に挿入、一方の足にはなにもせずに歩いた際  約５分間位の歩行で  明らかに左右の爪先の暖さに差があるのを感じた。
【簡単な符号の説明】
１    本発明の中敷
２    土踏まず対応部に設けた張出部の付根
３    小趾と踵の中間に設けた張出部の付根
４    土踏まず対応部に設けた張出部
５    小趾と踵の中間に設けた張出部
６    帯状の肉厚部
７    中敷の表面
８    中敷の裏面
９    踵部に設けた支持壁
１０    踵部の下にできた空洞部
１１    靴の底の踵部
【図面の簡単な説明】
【図１】  本発明の平面図
【図２】  請求項２、請求項３に記載の靴用の中敷の裏面図
【図３】  請求項２に記載の肉厚部と張出部のＢ−Ｂ断面図
【図４】  請求項３に記載の支持壁のＣ−Ｃ断面図
【図１】
2005074195.tif 000003
【図２】
2005074195.tif 000004
【図３】
2005074195.tif 000005
【図４】
2005074195.tif 000006